(57)【要約】【課題】周波数探索における消費電力を低減することができる電子機器を提供する。【解決手段】電子機器は、第１送信機１１ａにより第１期間送信される第１搬送周波数を有する第１信号Ｐ１と、第１送信機１１ａと異なる第２送信機１１ｂにより第１期間に非連続な第２期間送信され且つ第１搬送周波数と異なる第２搬送周波数を有する第２信号Ｐ２とを選択的に受信する通信Ｉ／Ｆ２１と、第１期間を含む第３期間、通信Ｉ／Ｆ２１に第１信号Ｐ１の受信処理を実行させ、通信Ｉ／Ｆ２１が第３期間内に第１信号Ｐ１を受信しない場合、第２期間を含み、第３期間に非連続な第４期間、通信Ｉ／Ｆ２１に第２信号Ｐ２の受信処理を実行させる制御回路２３とを備える。【選択図】図１
2020088624.tif 000002
【特許請求の範囲】
【請求項１】
第１送信機により第１期間送信される第１搬送周波数を有する第１信号と、前記第１送信機と異なる第２送信機により前記第１期間に非連続な第２期間送信され且つ前記第１搬送周波数と異なる第２搬送周波数を有する第２信号とを選択的に受信する通信インターフェイスと、
内部時刻を計時する計時回路と、
前記内部時刻において前記第１期間を含む第３期間、前記通信インターフェイスに前記第１信号の受信処理を実行させ、前記通信インターフェイスが前記第３期間内に前記第１信号を受信しない場合、前記内部時刻において前記第２期間を含み、前記第３期間に非連続な第４期間、前記通信インターフェイスに前記第２信号の受信処理を実行させる制御回路と、
を備える電子機器。
【請求項２】
前記第１搬送周波数及び前記第２搬送周波数が互いに隣接する地域においてそれぞれ使用されることを示す周波数テーブルを記憶する記憶装置を更に備え、
前記制御回路は、前記周波数テーブルを参照して、前記第１信号の次に前記第２信号の受信処理を前記通信インターフェイスに実行させる、請求項１に記載の電子機器。
【請求項３】
前記制御回路は、起動時の初期動作として、前記第３期間を延長する、請求項１又は２に記載の電子機器。
【請求項４】
二次電池と、
前記二次電池に電力を供給する充電用電源と、を更に備え、
前記制御回路は、前記通信インターフェイスに前記第１信号の受信処理を所定周期で実行させ、前記充電用電源から前記二次電池への電力の供給が行われない時間が閾値を超える場合、前記所定周期を延長する、請求項１乃至３の何れか１項に記載の電子機器。
【請求項５】
前記通信インターフェイスは、ＬｏＲａＷＡＮ、ＳＩＧＦＯＸ、ＮＢ−ＩｏＴ及びＷｉ−Ｆｉ  ＨａＬｏｗの何れかに準拠する、請求項１乃至４の何れか１項に記載の電子機器。
【請求項６】
前記第１搬送周波数及び前記第２搬送周波数のそれぞれは、サブギガヘルツ帯の範囲内である、請求項１乃至４の何れか１項に記載の電子機器。
【請求項７】
前記通信インターフェイスは、前記第３期間内に前記第１信号を受信する場合、前記第１搬送周波数から決定される第３搬送周波数を有する第１要求信号を前記第１送信機に送信し、前記第４期間内に前記第２信号を受信する場合、前記第２搬送周波数から決定される第４搬送周波数を有する第２要求信号を、前記第２送信機に送信する、請求項１乃至６の何れか１項に記載の電子機器。
【請求項８】
前記制御回路は、前記通信インターフェイスが、前記第１要求信号に対する応答として第１時刻情報を受信する場合、前記第１時刻情報に基づいて前記内部時刻を修正し、前記第２要求信号に対する応答として第２時刻情報を受信する場合、前記第２時刻情報に基づいて前記内部時刻を修正する、請求項７に記載の電子機器。
【発明の詳細な説明】
【技術分野】
【０００１】
本発明は、電子機器に関する。
【背景技術】
【０００２】
特許文献１は、第１の装置と第２の装置との間の無線通信において、ＬｏＲａ（登録商標）方式等のサブギガヘルツ帯の通信方式を使用することを開示する。特許文献２は、地域毎に異なる周波数を使用する通信方式において、所定の基準で決められた周波数を対象として、使用する周波数を探索する技術を開示する。
【先行技術文献】
【特許文献】
【０００３】
【特許文献１】特開２０１８−１４５９１号公報
【特許文献２】特開２００２−３５４５３２号公報
【発明の概要】
【発明が解決しようとする課題】
【０００４】
しかしながら、特許文献２に記載の技術を用いて周波数を探索する場合、例えば腕時計等、制約された構成を有する小型の電子機器において、消費電力が過大となる可能性がある。
【課題を解決するための手段】
【０００５】
本発明の一態様に係る電子機器は、第１送信機により第１期間送信される第１搬送周波数を有する第１信号と、前記第１送信機と異なる第２送信機により前記第１期間に非連続な第２期間送信され且つ前記第１搬送周波数と異なる第２搬送周波数を有する第２信号とを選択的に受信する通信インターフェイスと、内部時刻を計時する計時回路と、前記内部時刻において前記第１期間を含む第３期間、前記通信インターフェイスに前記第１信号の受信処理を実行させ、前記通信インターフェイスが前記第３期間内に前記第１信号を受信しない場合、前記内部時刻において前記第２期間を含み、前記第３期間に非連続な第４期間、前記通信インターフェイスに前記第２信号の受信処理を実行させる制御回路と、を備える。
【０００６】
上述の電子機器において、前記第１搬送周波数及び前記第２搬送周波数が互いに隣接する地域においてそれぞれ使用されることを示す周波数テーブルを記憶する記憶装置を更に備えてもよく、前記制御回路は、前記周波数テーブルを参照して、前記第１信号の次に前記第２信号の受信処理を前記通信インターフェイスに実行させてもよい。
【０００７】
上述の電子機器において、前記制御回路は、起動時の初期動作として、前記第３期間を延長してもよい。
【０００８】
上述の電子機器において、二次電池と、前記二次電池に電力を供給する充電用電源と、を更に備え、前記制御回路は、前記通信インターフェイスに前記第１信号の受信処理を所定周期で実行させ、前記充電用電源から前記二次電池への電力の供給が行われない時間が閾値を超える場合、前記所定周期を延長するようにしてもよい。
【０００９】
上述の電子機器において、前記通信インターフェイスは、ＬｏＲａＷＡＮ、ＳＩＧＦＯＸ、ＮＢ−ＩｏＴ及びＷｉ−Ｆｉ  ＨａＬｏｗの何れかに準拠してもよい。
【００１０】
上述の電子機器において、前記第１搬送周波数及び前記第２搬送周波数のそれぞれは、サブギガヘルツ帯の範囲内であってもよい。
【００１１】
上述の電子機器において、前記通信インターフェイスは、前記第３期間内に前記第１信号を受信する場合、前記第１搬送周波数から決定される第３搬送周波数を有する第１要求信号を前記第１送信機に送信し、前記第４期間内に前記第２信号を受信する場合、前記第２搬送周波数から決定される第４搬送周波数を有する第２要求信号を、前記第２送信機に送信するようにしてもよい。
【００１２】
上述の電子機器において、前記制御回路は、前記通信インターフェイスが、前記第１要求信号に対する応答として第１時刻情報を受信する場合、前記第１時刻情報に基づいて前記内部時刻を修正し、前記第２要求信号に対する応答として第２時刻情報を受信する場合、前記第２時刻情報に基づいて前記内部時刻を修正するようにしてもよい。
【図面の簡単な説明】
【００１３】
【図１】実施形態に係る電子機器を備える周波数探索システムの一例を説明するブロック図。
【図２】第１信号、第２信号及び受信制御信号の時間的関係の一例を説明するタイミングチャート。
【図３】サンプル信号のデータ周波数の時間変化の一例を説明する図。
【図４】位置情報テーブルの一例を説明する表。
【図５】電子機器の一例を説明する図。
【図６】周波数テーブルの一例を説明する表。
【図７】タイムゾーンテーブルの一例を説明する表。
【図８】実施形態に係る電子機器による周波数探索方法の一例を説明するフローチャート。
【図９】図８の測位確認処理の一例を説明するフローチャート。
【図１０】図８の時刻修正処理の一例を説明するフローチャート。
【発明を実施するための形態】
【００１４】
以下、図面を参照して本発明の実施形態に係る電子機器を説明する。なお、以下で説明する実施形態は、特許請求の範囲に記載された本発明の内容を以下に限定するものではない。本実施形態で説明される構成の全てが、本発明の必須構成要件であるとは限らない。また、図面においては、同一又は類似の要素には同一又は類似の符号をそれぞれ付して、重複する説明を省略する。
【００１５】
［周波数探索システム］
図１に示すように、本発明の実施形態に係る電子機器１は、第１地域Ｒ１内に位置する第１基地局１０ａと、第１地域Ｒ１と異なる第２地域Ｒ２内に位置する第２基地局１０ｂと共に周波数探索システム１００を構成する。例えば、第１地域Ｒ１及び第２地域Ｒ２のそれぞれは、欧州、米国、中国、アジア等、特定の無線通信に使用される周波数帯域をそれぞれの規格として定義される地域（リージョン）である。１つの地域に互いに同様の複数の基地局が配置されてもよい。周波数探索システム１００は、電子機器１が存在する地域において使用される周波数を探索するシステムである。
【００１６】
第１基地局１０ａは、例えば、第１送信機１１ａと、第１時刻管理部１２ａと、第１制御装置１３ａと、第１ネットワークインターフェイス（Ｉ／Ｆ）１５ａとを備える基地局である。第１送信機１１ａは、第１地域Ｒ１内に存在する機器に第１信号Ｐ１を送信する。第１信号Ｐ１は、第１搬送周波数ｆ１を有する電波である。第１搬送周波数ｆ１は、第１地域Ｒ１において使用されることが規格として定義された第１周波数帯域に含まれる周波数である。第１送信機１１ａは、電波を送信するのみならず、受信するようにしてもよい。即ち、第１送信機１１ａは、外部の装置と無線通信を行い得る。第１時刻管理部１２ａは、例えば協定世界時（ＵＴＣ）等の標準時間に同期された第１時刻を管理する回路である。
【００１７】
第１ネットワークＩ／Ｆ１５ａは、ネットワーク５０及びネットワークサーバー５３を介して時刻サーバー５１に接続する。ネットワーク５０は、例えばインターネット等の通信回線である。ネットワークサーバー５３は、第１基地局１０ａ及び第２基地局１０ｂとネットワーク５０上に存在する種々のサービスを中継する役割を持つ。時刻サーバー５１は、例えばＮＴＰ（Network Time Protocol）サーバー等、標準時間を含む時刻情報を配信するサーバーである。例えば、第１ネットワークＩ／Ｆ１５ａは、ネットワーク５０及びネットワークサーバー５３を介して時刻サーバー５１へ問い合わせを送信し、ネットワーク５０及びネットワークサーバー５３を介して時刻サーバー５１から時刻情報を受信する。
【００１８】
第１制御装置１３ａは、例えば中央演算処理装置（ＣＰＵ）等の処理回路からなる。第１制御装置１３ａは、第１送信機１１ａ、第１時刻管理部１２ａ及び第１ネットワークＩ／Ｆ１５ａの動作を制御する。例えば、第１制御装置１３ａは、第１ネットワークＩ／Ｆ１５ａを制御して、所定のタイミング時刻情報を取得させる。第１制御装置１３ａは、取得した標準時間を含む時刻情報を第１時刻管理部１２ａに出力する。第１時刻管理部１２ａは、計時する第１時刻を、時刻サーバー５１から取得した時刻情報に含まれる標準時間に同期させる。
【００１９】
図２に示すように、第１信号Ｐ１は、第１期間Ｔａ１において連続的に送信され、第１間隔Ｔｂ１において連続的に送信を停止される。即ち、第１送信機１１ａは、第１制御装置１３ａによる制御に応じて、第１期間Ｔａ１及び第１間隔Ｔｂ１の和を周期Ｔ１として、周期的且つ間欠的に第１信号Ｐ１を出力する。第１期間Ｔａ１及び第１間隔Ｔｂ１は、例えば、第１時刻管理部１２ａに計時される第１時刻、即ち標準時間において定義される。
【００２０】
図１に示すように、第２基地局１０ｂは、第１基地局１０ａと同様に、第２送信機１１ｂと、第２時刻管理部１２ｂと、第２制御装置１３ｂと、第２ネットワークＩ／Ｆ１５ｂとを備える基地局である。第２送信機１１ｂは、第２地域Ｒ２内に存在する機器に第２信号Ｐ２を送信する。第２信号Ｐ２は、第１搬送周波数ｆ１と異なる第２搬送周波数ｆ２を有する電波である。第２搬送周波数ｆ２は、第２地域Ｒ２において使用されることが規格として定義された第２周波数帯域に含まれる周波数である。加えて、第２送信機１１ｂは、電波を受信することにより、外部の装置と無線通信を行うようにしてもよい。第２時刻管理部１２ｂは、標準時間に同期された第２時刻を管理する回路である。
【００２１】
第２制御装置１３ｂは、例えばＣＰＵ等の処理回路からなる。第２制御装置１３ｂは、第２送信機１１ｂ、第２時刻管理部１２ｂ及び第２ネットワークＩ／Ｆ１５ｂの動作を制御する。例えば、第２制御装置１３ｂは、第２ネットワークＩ／Ｆ１５ｂを制御して、所定のタイミングで、時刻サーバー５１から時刻情報を取得させる。第２制御装置１３ｂは、取得した標準時間を含む時刻情報を第２時刻管理部１２ｂに出力する。第２時刻管理部１２ｂは、計時する第２時刻を時刻サーバー５１から取得した時刻情報に含まれる標準時間に同期させる。
【００２２】
図２に示すように、第２信号Ｐ２は、第２期間Ｔａ２において連続的に送信され、第２間隔Ｔｂ２において連続的に送信を停止される。即ち、第２基地局１０ｂは、第２制御装置１３ｂによる制御に応じて、第２期間Ｔａ２及び第２間隔Ｔｂ２の和を周期Ｔ２として、周期的且つ間欠的に第２信号Ｐ２を送信する。第２期間Ｔａ２及び第２間隔Ｔｂ２は、例えば、第２時刻管理部１２ｂに計時される第２時刻、即ち標準時間において定義される。第２期間Ｔａ２は、第１期間Ｔａ１に対して一致している。ただし、第１送信機の内部時刻と第２送信機の内部時刻とが時刻サーバー５１とのネットワーク経路の相違によりずれている可能性がある。この場合、第１期間Ｔａ１の開始タイミングと第２期間Ｔａ２の開始タイミングとは図２に示すようにずれている場合がある。
【００２３】
ここで、第２期間Ｔａ２の長さは、第１期間Ｔａ１の長さに等しい。そして、第１信号Ｐ１の周期Ｔ１及び第２信号Ｐ２の周期Ｔ２は互いに等しい。よって、第２間隔Ｔｂ２は第１間隔Ｔｂ１に一致する。周期Ｔ１及び周期Ｔ２のそれぞれは、例えば５分であり得る。この場合、第１基地局１０ａ及び第２基地局１０ｂは、例えば標準時間の０分から開始し、５分毎に第１信号Ｐ１及び第２信号Ｐ２を送信すればよい。
【００２４】
周波数探索システム１００における無線通信規格として、ＬＰＷＡ（Low Power Wide Area）と呼ばれる通信規格群の何れかが採用され得る。即ち、無線通信規格として、ＬｏＲａＷＡＮ、ＳＩＧＦＯＸ（登録商標）、Ｗｉ−Ｆｉ  ＨａＬｏｗ等のうち何れかを採用可能である。第１搬送周波数ｆ１を含む第１周波数帯域及び第２搬送周波数ｆ２を含む第２周波数帯域は、それぞれサブギガヘルツ帯の範囲内であり得る。サブギガヘルツ帯、例えば８００ＭＨｚ〜９５０ＭＨｚ程度の周波数帯域を使用することにより、他の周波数帯域の通信規格と比べて伝送可能距離が長くなる傾向がある。無線通信規格は、上記に限るものでなく、例えばＮＢ−ＩｏＴ等の他の種々の通信規格を採用され得る。即ち、第１周波数帯域及び第２周波数帯域もサブギガヘルツ帯に限るものでない。
【００２５】
例えば図３に示すように、ＬｏＲａの送信機から出力されるサンプル信号Ｐｓのデータの周波数ｆの時間変化は、プリアンブル時間Ｔｐ及びデータ時間Ｔｄにおいて定義される。サンプル信号Ｐｓは、周波数探索システム１００において使用される無線通信規格の信号であり、第１信号Ｐ１及び第２信号Ｐ２のそれぞれに相当する信号として例示される。プリアンブル時間Ｔｐは、サンプル信号Ｐｓのプリアンブルの時間的長さを意味する。データ時間Ｔｄは、サンプル信号Ｐｓのデータの時間的長さを意味する。このデータは、例えば、送信元及び宛先のＭＡＣ（Media Access Control）アドレスを含むヘッダーと、データ本体とを含む。なお、図３において、ｔは時間、ｆｃはチャンネルの中心周波数、ＢＷはバンド幅を意味する。
【００２６】
第１信号Ｐ１及び第２信号Ｐ２は、周波数探索システム１００の無線通信規格におけるプリアンブルであり得る。即ち、図２における第１期間Ｔａ１及び第２期間Ｔａ２は、図３におけるプリアンブル時間Ｔｐに相当し得る。但し、第１信号Ｐ１及び第２信号Ｐ２が送信される際にそれぞれ重畳される第１搬送周波数ｆ１及び第２搬送周波数ｆ２は互いに異なる。例えばＬｏＲａにおいて、プリアンブル時間Ｔｐは、概ね１ｍｓ程度である。この場合、第１期間Ｔａ１及び第２期間Ｔａ２は、それぞれ１ｍｓ程度であり得る。
【００２７】
その他、第１基地局１０ａ及び第２基地局１０ｂのそれぞれは、ネットワーク５０及びネットワークサーバー５３を介して、位置情報サーバー５２に接続する。位置情報サーバー５２は、例えば図４に示すように、位置情報テーブルを記憶する。位置情報テーブルは、基地局情報と、基地局情報により識別される基地局の位置情報とを関連付けて記録される。基地局情報は、例えばＭＡＣアドレスであり得る。基地局情報は、基地局を識別する、基地局に固有の情報であればよい。位置情報は、緯度及び経度により定義される基地局の位置を示す。時刻サーバー５１、位置情報サーバー５２及びネットワークサーバー５３は、地域毎に配置されてもよい。
【００２８】
図１に示すように、電子機器１は、通信Ｉ／Ｆ２１と、計時回路２２と、制御回路２３と、記憶装置２４とを備える。電子機器１は、時刻表示部２５、充電検出回路２６、充電用電源２７、二次電池２８、電池電圧検出回路２９等を備えてもよい。電子機器１は、例えば図５に示すように、バンド３３によりユーザーの腕に装着される腕時計であり得る。電子機器１は、文字板３２に印された目盛を指針３１が指し示すことにより時刻を表示するアナログ式時計であってもよい。この場合、時刻表示部２５は、例えば輪列、輪列を介して指針３１を駆動するステッピングモーター、ステッピングモーターを駆動する駆動回路等を備える。
【００２９】
通信Ｉ／Ｆ２１は、第１信号Ｐ１及び第２信号Ｐ２を選択的に受信する。通信Ｉ／Ｆ２１は、電波を受信するアンテナと、アンテナにおいて受信された電波を復調して制御回路２３に出力する通信回路とを備える。通信Ｉ／Ｆ２１が備えるアンテナの数及び種類は、周波数探索システム１００において使用される周波数帯域に応じて変更され得る。通信Ｉ／Ｆ２１は、制御回路２３から入力した信号を変調して送信するようにしてもよい。通信Ｉ／Ｆ２１は、周波数探索システム１００に採用される通信規格に準拠する。即ち、通信Ｉ／Ｆ２１は、ＬｏＲａＷＡＮ、ＳＩＧＦＯＸ、ＮＢ−ＩｏＴ及びＷｉ−Ｆｉ  ＨａＬｏｗの何れかに準拠し得る。
【００３０】
計時回路２２は、例えば、水晶振動子により生成された発振信号を分周し、例えば１Ｈｚの基準信号を生成する。計時回路２２は、基準信号に基づいて内部時刻を計時する。計時回路２２は、例えば集積回路（ＩＣ）から構成される。計時回路２２は、例えば、世界標準時であるＵＴＣを計時する第１カウンターと、ＵＴＣに対する時差を記憶する不揮発性記憶装置である時差メモリーと、時差メモリーに記憶される時差をＵＴＣに対する差として有するローカルな標準時を計時する第２カウンターとを有する。時差メモリーは、記憶装置２４と兼用されてもよい。
【００３１】
制御回路２３は、例えば中央演算処理装置（ＣＰＵ）等の処理回路からなる。制御回路２３は、電子機器１による周波数探索方法に必要な演算を処理するコンピューターシステムを構成する。制御回路２３は、例えば記憶装置２４に記憶されたプログラムを実行することにより、実施形態に記載された各機能を実現する。制御回路２３は、通信Ｉ／Ｆ２１、計時回路２２、記憶装置２４等の動作を制御する。制御回路２３は、一体のハードウェアから構成されてもよく、別個の複数のハードウェアから構成されてもよい。また、制御回路２３は、計時回路２２を構成するＩＣと兼用されてもよい。
【００３２】
制御回路２３は、図２に示すように、受信制御信号Ｕを通信Ｉ／Ｆ２１に出力することにより、通信Ｉ／Ｆ２１において電波を受信するアンテナと、電波を復調する通信回路とをオン状態にして動作させる。受信制御信号Ｕが出力される間、通信Ｉ／Ｆ２１は、電波の受信処理を実行することにより電波を受信可能な状態となる。即ち、受信制御信号Ｕは、図２に示すハイレベルの間、通信Ｉ／Ｆ２１が連続的に電波の受信処理を実行することを意味し、ローレベルの間、通信Ｉ／Ｆ２１が連続的に電波の受信処理を実行しないことを意味する。制御回路２３は、通信Ｉ／Ｆ２１に第３期間Ｔａ３において連続的に受信処理を実行させ、第３間隔Ｔｂ３において連続的に受信処理を停止される。通信Ｉ／Ｆ２１は、制御回路２３による制御に応じて、第３期間Ｔａ３及び第３間隔Ｔｂ３の和を周期Ｔｕとして、周期的且つ間欠的に電波の受信処理を実行する。
【００３３】
制御回路２３は、第３期間Ｔａ３及び第３間隔Ｔｂ３を、計時回路２２により計時される内部時刻において定義する。内部時刻は、計時回路２２の第１カウンターに計時されるＵＴＣであってもよく、第２カウンターに計時されるローカルな標準時であってもよい。第３期間Ｔａ３は、内部時刻において第１期間Ｔａ１及び第２期間Ｔａ２を含むように定義される。よって、第３期間Ｔａ３の長さは、第１期間Ｔａ１及び第２期間Ｔａ２のそれぞれより長い。例えば、第１期間Ｔａ１及び第２期間Ｔａ２のそれぞれの長さが１ｍｓである場合、第３期間Ｔａ３の長さは５ｍｓであり得る。また、第３期間Ｔａ３の開始タイミングは、第１期間Ｔａ１及び第２期間Ｔａ２の開始タイミングよりも早いことが好ましい。これにより、電子機器１、第１基地局１０ａ及び第２基地局１０ｂの各々の内部時刻が標準時間に合わせられている場合、電子機器１が第１地域Ｒ１に存在すれば、第３期間Ｔａ３において通信Ｉ／Ｆ２１は第１信号Ｐ１を受信する。一方、電子機器１が第２地域Ｒ２に存在すれば、第３期間Ｔａ３において通信Ｉ／Ｆ２１は第２信号Ｐ２を受信する。
【００３４】
記憶装置２４は、周波数テーブル２４１と、タイムゾーンテーブル２４２とを記憶する。記憶装置２４は、例えば半導体メモリーからなる。記憶装置２４は、制御回路２３の動作に必要な一連の処理のプログラムや各種データを記憶する、コンピューターにより読み取り可能な記憶媒体である。記憶装置２４は、不揮発性の補助記憶装置に限るものでなく、ＣＰＵに内蔵されるレジスター等の揮発性の主記憶装置を含み得る。
【００３５】
図６に示すように、周波数テーブル２４１は、複数の地域と、複数の地域のそれぞれにおいて使用される周波数と、複数の地域のそれぞれに隣接する地域とを互いに関連付けて記録される。例えば、図６から、Ａの地域では８６９．５２５ＭＨｚが使用され、Ａに隣接する地域がＢ，Ｄ，Ｊであることが理解される。同様に、Ｂの地域では、９２３．３ＭＨｚが使用され、隣接する地域がＡ，Ｄ，Ｊであり、Ｃの地域では、７８６ＭＨｚが使用され、隣接する地域がＤ，Ｆ，Ｈ，Ｉ，Ｊであることが理解される。周波数テーブル２４１に記載される周波数は、例えば各地域で使用される周波数帯域における初期周波数であり得る。また、周波数テーブル２４１は、図６に示すように、複数の地域のそれぞれにおいて使用される無線通信における周波数の他のパラメーターを記録されてもよい。パラメーターは、例えば、バンド幅（ＢＷ）、拡散係数（ＳＦ）、コーディングレート（ＣＲ）等、各通信プロトコルにおいて定義される種々のパラメーターであり得る。
【００３６】
本実施形態において、Ａが第１地域Ｒ１に相当し、Ａに隣接するＢが第２地域Ｒ２に相当する。即ち、周波数テーブル２４１は、第１基地局１０ａ及び第２基地局１０ｂが、互いに隣接する地域に存在することを示す。また、図６に示す例では、８６９．５２５ＭＨｚが第１搬送周波数ｆ１に相当し、９２３．３ＭＨｚが第２搬送周波数ｆ２に相当する。即ち、周波数テーブル２４１は、第１搬送周波数ｆ１及び第２搬送周波数ｆ２が、互いに隣接する地域においてそれぞれ使用されることを示す。
【００３７】
図７に示すように、タイムゾーンテーブル２４２は、複数の領域と、複数の領域のそれぞれを定義する領域情報と、複数の領域のそれぞれにおける時差情報とを互いに関連付けて記録される。領域情報は、例えば、緯線に沿う２辺及び経線に沿う２辺を有する矩形を定義する対角線上の２点の緯度及び経度として記録される。時差情報は、複数の領域のそれぞれのＵＴＣに対する時差である。例えば、図７から、ａの領域は、北西端となる北緯３９度、東経１２４度の地点と、南東端となる北緯３１度、東経１４６度の地点とにより定義される矩形領域であり、ＵＴＣに対して＋９時間の時差を有することが理解される。同様に、ｂの領域は、北緯４９度、東経１０８度の地点と、北緯２１度、東経１２４度の地点とにより定義される矩形領域であり、ＵＴＣに対して＋８時間の時差を有する。ｃの領域は、北緯２１度、東経９３度の地点と、北緯６度、東経１０８の地点とにより定義される矩形領域であり、ＵＴＣに対して＋７時間の時差を有する。タイムゾーンテーブル２４２は、領域毎に関連付けられた情報として、サマータイム（ＤＳＴ）期間及びサマータイム期間における時差を記録されてもよい。
【００３８】
二次電池２８は、例えば充電式ボタン電池等の蓄電池である。充電用電源２７は、二次電池２８に充電用の電力を供給して二次電池２８を充電する電源である。充電用電源２７は、例えばソーラーセルである。充電用電源２７は、電子機器１の運動を電磁誘導によって電流に変換することにより二次電池２８に電力を供給する発電機であってもよい。電池電圧検出回路２９は、制御回路２３から入力される、電池電圧検出を要求する制御信号に応じて、二次電池２８の電圧を検出する。電池電圧検出回路２９は、検出した電圧を示す信号を制御回路２３に出力する。充電検出回路２６は、制御回路２３から入力される、充電検出を要求する制御信号に応じて、二次電池２８に供給される電力を充電状態として検出する。充電検出回路２６は、検出した電圧を示す信号を制御回路２３に出力する。二次電池２８は、電子機器１内の各回路に電力を供給し、各回路を駆動する。
【００３９】
電子機器１は、低い消費電力で地域毎に使用される周波数を探索することができるため、発電する充電用電源２７及び蓄電する二次電池２８を備えることにより、外部からの充電や電池交換等の定期的なメンテナンスを省略することができる。
【００４０】
{制御回路の動作}
図８のフローチャートを参照して、本実施形態に係る電子機器１における周波数探索方法の一例として、制御回路２３の動作を説明する。図８のフローチャートに示す一連の処理は、例えば、通信Ｉ／Ｆ２１に特定の搬送周波数の信号の受信処理を実行させる第３期間Ｔａ３に合わせて実行される。
【００４１】
先ず、ステップＳ１０１において、制御回路２３は、通信Ｉ／Ｆ２１が受信処理を実行する信号の搬送周波数を、前回の一連の処理において確定された周波数に設定する。ステップＳ１０１において、制御回路２３の起動時の初期動作である場合等、前回確定された周波数が存在しない場合は、制御回路２３は、通信Ｉ／Ｆ２１が受信する信号の搬送周波数を、予め決定された初期周波数に設定すればよい。初期周波数は、周波数テーブル２４１に記録される周波数の何れかであり得る。制御回路２３は、起動後に設定した周波数を履歴情報として記憶装置２４に記憶させる。
【００４２】
ステップＳ１０２において、制御回路２３は、設定された搬送周波数を有する信号の受信処理を、通信Ｉ／Ｆ２１に実行させる。このとき、制御回路２３は、図２に示すように、予め定義された第３期間Ｔａ３において受信制御信号Ｕを通信Ｉ／Ｆ２１に出力する。これにより、制御回路２３は、第３期間Ｔａ３において連続的に、設定された搬送周波数を有する信号の受信処理を通信Ｉ／Ｆ２１に実行させる。なお、制御回路２３は、第３期間Ｔａ３に連続する第３間隔Ｔｂ３において連続的に、通信Ｉ／Ｆ２１に受信処理の実行を停止させる。ステップＳ１０２の処理は、周期Ｔｕ毎に実行される。
【００４３】
ステップＳ１０３において、制御回路２３は、ステップＳ１０２の第３期間Ｔａ３において、設定された搬送周波数を有する信号を受信したか否かを判定する。制御回路２３が、信号を受信すると判定する場合、ステップＳ１０４に処理を進め、信号を受信しないと判定する場合、ステップＳ１０５に処理を進める。
【００４４】
ステップＳ１０４において、制御回路２３は、ステップＳ１０２で通信Ｉ／Ｆ２１が受信した信号の搬送周波数を、現在、電子機器１が存在する地域で使用される周波数であるとして確定する。制御回路２３は、周波数を確定した後、ステップＳ１０８に処理を進める。
【００４５】
ステップＳ１０５において、制御回路２３は、記憶装置２４の周波数テーブル２４１及び履歴情報を参照し、起動後、通信Ｉ／Ｆ２１が受信処理を実行する信号の搬送周波数を、周波数テーブル２４１に記録される全ての周波数に設定したか否かを判定する。即ち、制御回路２３は、周波数テーブル２４１に記録される全ての地域の周波数に設定したか否かを判定する。制御回路２３は、全ての周波数に設定したと判定する場合、ステップＳ１０６に処理を進め、設定しないと判定する場合、ステップＳ１０７に処理を進める。
【００４６】
ステップＳ１０６において、制御回路２３は、通信Ｉ／Ｆ２１に信号の受信処理を実行させる受信期間、即ち第３期間Ｔａ３を、現在より長い期間に修正する。例えば、制御回路２３は、前回の受信処理の実行において第３期間Ｔａ３が５ｍｓであった場合、第３期間Ｔａ３を８ｍｓに修正する。これにより、通信Ｉ／Ｆ２１が設定された搬送周波数を有する信号の受信処理を実行する時間が長くなるため、信号を受信する可能性が高くなる。制御回路２３は、受信期間を修正した後、ステップＳ１０２に処理を戻す。
【００４７】
ステップＳ１０７において、制御回路２３は、周波数テーブル２４１を参照し、現在設定されている周波数を使用する地域に隣接する地域の周波数に設定する。例えば、初回のステップＳ１０１において、第１地域Ｒ１で使用される第１搬送周波数ｆ１が設定されており、次のステップＳ１０２の第３期間Ｔａ３に、通信Ｉ／Ｆ２１が第１搬送周波数ｆ１を有する第１信号Ｐ１を受信しない場合を仮定する。この場合、制御回路２３は、周波数テーブル２４１を参照し、通信Ｉ／Ｆ２１が受信処理を実行する信号の搬送周波数を、第１地域Ｒ１に隣接する第２地域Ｒ２で使用される第２搬送周波数ｆ２に設定する。制御回路２３は、起動後に設定した周波数を履歴情報として記憶装置２４に蓄積して記憶させる。制御回路２３は、履歴情報を記憶させた後、ステップＳ１０２に処理を戻す。
【００４８】
ステップＳ１０８において、制御回路２３は、現在が時刻修正のタイミングか否かを判定する。時刻修正のタイミングは、例えば、毎日午前３時等、所定の時刻において１日１回のタイミングであり得る。制御回路２３は、時刻修正のタイミングである場合、ステップＳ１０９に処理を進めて時刻修正処理を実行し、時刻修正のタイミングでない場合、ステップＳ１１０に処理を進める。
【００４９】
ステップＳ１１０において、制御回路２３は、現在が測位確認のタイミングか否かを判定する。測位確認のタイミングは、例えば１５分毎等、所定周期のタイミングであり得る。例えば、測位確認の周期は、通信Ｉ／Ｆ２１が信号の受信処理を実行する周期Ｔｕの自然数倍であり得る。制御回路２３は、測位確認のタイミングである場合、ステップＳ１１１に処理を進めて測位確認処理を実行し、測位確認のタイミングでない場合、処理を終了する。
【００５０】
例えば、通信Ｉ／Ｆ２１が受信処理を実行する初期周波数として第１搬送周波数ｆ１が設定され、図２の時刻ｔ１から開始される第３期間Ｔａ３において、通信Ｉ／Ｆ２１が、第１期間Ｔａ１送信され、第１搬送周波数ｆ１を有する第１信号Ｐ１を受信しなかったと仮定する。この場合、制御回路２３は、周波数テーブル２４１を参照し、第１搬送周波数ｆ１を使用する第１地域Ｒ１に隣接する第２地域Ｒ２を特定し、第２地域Ｒ２において使用される第２搬送周波数ｆ２を特定する。制御回路２３は、図２の時刻ｔ２から開始される、第３期間Ｔａ３に時間的に非連続な第４期間Ｔａ４、通信Ｉ／Ｆ２１に、第１期間Ｔａ１に時間的に非連続な第２期間Ｔａ２送信され、第２搬送周波数ｆ２を有する第２信号Ｐ２の受信処理を実行させる。即ち、通信Ｉ／Ｆ２１は、第１信号Ｐ１の次に第２信号Ｐ２の受信処理を実行する。ここで、第４期間Ｔａ４の長さは、第３期間Ｔａ３の長さに等しい。
【００５１】
このように、電子機器１は、第３期間Ｔａ３において第１信号Ｐ１の受信処理を実行し、第１信号Ｐ１を受信しない場合、第３期間Ｔａ３に非連続な第４期間Ｔａ４において第２信号Ｐ２の受信処理を実行する。よって、電子機器１は、信号の受信処理を実行するための電力を、常時消費することがなくなるため、二次電池２８の消費電力を節減することができる。また、電子機器１は、周波数テーブル２４１において、受信処理を実行した地域の次に、隣接する地域に関して信号の受信処理を実行することにより、信号を受信する可能性を高くすることができる。なお、制御回路２３は、第３期間Ｔａ３と第４期間Ｔａ４との間であって、通信を行わない間は、公知のスリープモードなどの低消費電力モードに制御されることで、さらに低消費電力化されてもよい。
【００５２】
また、通信Ｉ／Ｆ２１による信号の受信処理は、第３期間Ｔａ３において所定の周期Ｔｕで実行されることを説明したが、周期Ｔｕは、二次電池２８の残量や充電用電源２７による充電状態に応じて変更されてもよい。例えば、制御回路２３は、充電検出回路２６を介して、充電用電源２７から二次電池２８への電力の供給が連続的に行われない時間を取得し、この時間が閾値を超える場合、周期Ｔｕを延長するようにしてもよい。また、制御回路２３は、電池電圧検出回路２９を介して二次電池２８の残量を取得し、残量が閾値を下回る場合、周期Ｔｕを延長するようにしてもよい。これらのように、二次電池２８の残量が少ないことが見込まれる場合において、通信Ｉ／Ｆ２１が受信処理を実行する頻度を低減することにより、電子機器１の消費電力を節減することができる。
【００５３】
水晶振動子による基準信号を用いた計時回路２２の精度は、例えば０．３ｓ程度の日差として表現される。即ち、水晶振動子を用いた計時回路２２は、５分当たり１ｍｓ程度の指示差を有する。よって、例えば、第１期間Ｔａ１及び第２期間Ｔａ２がそれぞれ１ｍｓ程度であり、２４時間毎に時刻修正処理が実行される場合、第３期間Ｔａ３の長さが５ｍｓ程度であれば、通信Ｉ／Ｆ２１は、第１信号Ｐ１及び第２信号Ｐ２を選択的に受信することが見込まれる。
【００５４】
更に、制御回路２３は、起動時の初期動作等、内部時刻が標準時間に同期されていないことが見込まれる場合において、第３期間Ｔａ３を延長するようにしてもよい。これにより、内部時刻が標準時間に同期されていない場合であっても、通信Ｉ／Ｆ２１が基地局からの信号を受信する可能性を高くすることができる。
【００５５】
{測位確認及び時差修正処理}
図９のフローチャートを参照して、図８のステップＳ１１１における測位確認処理の一例を説明する。測位確認処理により、現在、電子機器１が存在する領域の時差、即ちタイムゾーンが確認される。なお、測位確認処理が実行されるタイミングは、二次電池２８の残量、測位確認処理の消費電力、タイムゾーンの変化から内部時刻の修正までの許容時間等により変更されてもよい。
【００５６】
先ず、ステップＳ１１において、制御回路２３は、図８のステップＳ１０４で確定された周波数により決定される周波数において、基地局の存在を確認する。即ち、制御回路２３は、通信Ｉ／Ｆ２１を介して、確定した周波数から決定される周波数を搬送周波数として有する確認要求信号を基地局に送信する。例えば、電子機器１が第２地域Ｒ２に存在する場合、図８のステップＳ１０４で第２搬送周波数ｆ２が確定される。通信Ｉ／Ｆ２１は、各通信規格におけるプロトコルによって第２搬送周波数ｆ２から決定される搬送周波数ｆ４を有する確認要求信号Ｑ２を、第２基地局１０ｂに送信する。この場合、確認要求信号Ｑ２の搬送周波数ｆ４は、第２周波数帯域に含まれるのであれば、第２搬送周波数ｆ２であってもなくてもよい。制御回路２３は、通信Ｉ／Ｆ２１が確認要求信号の送信から所定時間内に、確認要求信号に対する応答信号を受信するか否かを判定することにより、基地局の存在を確認する。
【００５７】
ここで、第２基地局１０ｂ等の基地局は、電子機器１から確認要求信号を受信した場合において、時刻情報及び位置情報を含む応答信号を電子機器１に返信する。例えば第２基地局１０ｂは、確認要求信号Ｑ２の受信に応じて、時刻サーバー５１から時刻情報を、位置情報サーバー５２から位置情報を、それぞれネットワークサーバー５３を介して取得する。具体的には、第２基地局１０ｂの第２ネットワークＩ／Ｆ１５ｂは、時刻サーバー５１へ問い合わせを送信する。時刻サーバー５１は、問い合わせに応答して時刻情報を返信する。また、第２基地局１０ｂの第２ネットワークＩ／Ｆ１５ｂは、位置情報サーバー５２へ問い合わせを送信する。位置情報サーバー５２は、送信された問い合わせに含まれる基地局情報に関連する位置情報を位置情報テーブルから特定し、位置情報を含む信号を基地局に返信する。第２基地局１０ｂは、取得した時刻情報及び位置情報を含む応答信号を生成して、電子機器１に送信する。
【００５８】
ステップＳ１２において、制御回路２３は、ステップＳ１１で基地局の存在を確認した結果により、基地局が存在する場合、ステップＳ１３に処理を進め、基地局が存在しない場合、処理を終了する。
【００５９】
ステップＳ１３において、制御回路２３は、ステップＳ１１で受信した応答信号に含まれる、例えばＭＡＣアドレス等の基地局情報を取得する。制御回路２３は、少なくとも直近の２回において応答信号から取得された基地局情報を、記憶装置２４に循環的に記憶させる。
【００６０】
ステップＳ１４において、制御回路２３は、記憶装置２４に記憶された基地局情報を参照し、ステップＳ１３で取得した基地局情報が前回から変化したか否かを判定する。制御回路２３は、基地局情報が変化した場合、ステップＳ１５に処理を進め、基地局情報が変化しない場合、処理を終了する。
【００６１】
ステップＳ１５において、制御回路２３は、ステップＳ１１で受信した応答信号に含まれる位置情報を取得する。
【００６２】
ステップＳ１６において、制御回路２３は、タイムゾーンテーブル２４２を参照し、ステップＳ１５で取得した基地局の位置情報から特定される時差情報を取得する。具体的には、制御回路２３は、タイムゾーンテーブル２４２において、位置情報の緯度及び経度が示す基地局の位置を含む領域を特定し、特定した領域に関連付けられた時差情報を、基地局が位置する地域の時差として取得する。例えば、ステップＳ１５で取得した位置情報が、図４の北緯３５．６８度、東経１３９．７８度であった場合、この地点に位置する基地局は図７のａの領域に位置すると特定されるため、制御回路２３は、ａの領域に関連付けられた時差情報として「＋９」を取得する。制御回路２３は、少なくとも直近の２回において取得された時差情報を、記憶装置２４に循環的に記憶させる。
【００６３】
ステップＳ１７において、制御回路２３は、記憶装置２４に記憶された時差情報を参照し、ステップＳ１６で取得した時差情報が前回から変化したか否かを判定する。制御回路２３は、時差情報が変化した場合、ステップＳ１８に処理を進め、時差情報が変化しない場合、処理を終了する。
【００６４】
ステップＳ１８において、制御回路２３は、計時回路２２において設定される時差を、ステップＳ１６で取得した時差情報が示す時差に更新する。つまり、計時回路２２内の時差メモリーに記憶される時差情報を、ステップＳ１６で取得した時差情報が示す時差に更新する。これにより、計時回路２２は、第２カウンターにおいて計時される、ローカルな標準時を修正する。これに応じて、制御回路２３は、時刻表示部２５が表示する時刻を修正されたローカルな標準時に変更し、処理を終了する。
【００６５】
なお、第１基地局１０ａ及び第２基地局１０ｂが、自身の位置情報を記憶している場合、電子機器１は、例えば第２基地局１０ｂに位置要求信号を送信し、第２基地局１０ｂから位置情報を含む応答信号を受信してもよい。このとき、通信Ｉ／Ｆ２１は、第２搬送周波数ｆ２から決定される搬送周波数を有する位置要求信号を、第２基地局１０ｂの第２送信機１１ｂに送信する。この場合、位置要求信号の搬送周波数は、第２周波数帯域に含まれるのであれば、第２搬送周波数ｆ２であってもなくてもよい。
【００６６】
{時刻修正処理}
図１０のフローチャートを参照して、図８のステップＳ１０９における時刻修正処理の一例を説明する。
【００６７】
先ず、ステップＳ２１において、制御回路２３は、図９のステップＳ１１と同様に、図８のステップＳ１０４で確定された周波数により決定される周波数において、基地局の存在を確認する。即ち、制御回路２３は、通信Ｉ／Ｆ２１を介して、確定した周波数により決定された周波数を搬送周波数として有する確認要求信号を基地局に送信する。通信Ｉ／Ｆ２１は、各通信規格におけるプロトコルによって、確定した周波数から決定される搬送周波数を有する確認要求信号を基地局に送信する。制御回路２３は、通信Ｉ／Ｆ２１が確認要求信号の送信から所定時間内に、確認要求信号に対する応答信号を受信するか否かを判定することにより、基地局の存在を確認する。
【００６８】
ステップＳ２２において、制御回路２３は、ステップＳ２１で基地局の存在を確認した結果により、基地局が存在する場合、ステップＳ２３に処理を進め、基地局が存在しない場合、処理を終了する。
【００６９】
ステップＳ２３において、制御回路２３は、ステップＳ２１で受信した応答信号に含まれる時刻情報を取得する。制御回路２３は、取得する時刻情報の種類がＵＴＣでないローカルな標準時である場合、時刻情報をＵＴＣに換算し得る。
【００７０】
ステップＳ２４において、制御回路２３は、計時回路２２の第１カウンターにおいて計時される時刻を、ステップＳ２３で取得したＵＴＣに修正する。これにより、計時回路２２は、第２カウンターにおいて計時されるローカルな標準時を、第１カウンターにおいて計時されるＵＴＣに時差メモリーに記憶される時差を加算することにより算出された時刻に更新する。これに応じて、制御回路２３は、時刻表示部２５が表示する時刻を修正されたローカルな標準時に変更し、処理を終了する。
【００７１】
即ち、通信Ｉ／Ｆ２１は、第３期間Ｔａ３内に第１信号Ｐ１を受信した場合、第１搬送周波数ｆ１から決定される第３搬送周波数ｆ３を有する第１要求信号Ｑ１（図２参照）を第１基地局１０ａに送信する。制御回路２３は、通信Ｉ／Ｆ２１が第１要求信号Ｑ１に対する応答として第１時刻を示す第１時刻情報を第１基地局１０ａから受信する場合、計時回路２２に計時される内部時刻を、第１時刻情報に含まれる第１時刻に修正する。一方、第４期間Ｔａ４内に第２信号Ｐ２を受信する場合、第２搬送周波数ｆ２から決定される第４搬送周波数ｆ４を有する第２要求信号Ｑ２を、第２基地局１０ｂに送信する。制御回路２３は、通信Ｉ／Ｆ２１が第２要求信号Ｑ２に対する応答として第２時刻を示す第２時刻情報を第２基地局１０ｂから受信する場合、計時回路２２に計時される内部時刻を、第２時刻情報に含まれる第２時刻に修正する。第３搬送周波数ｆ３は、第１搬送周波数ｆ１であってもよく、第４搬送周波数ｆ４は、第２搬送周波数ｆ２であってもよい。
【００７２】
以上のように、電子機器１は、地域において使用される周波数を確定した後に、存在する地域から要求信号を送信する。このため、電子機器１は、地域において使用することが規格化されていない周波数の電波を送信してしまう可能性を低減することができる。また、電子機器１は、所定の周期で時刻修正及び時差修正を自動的に行うため、世界中を移動しても現地時間に追従することができる。また、電子機器１は、消費電力を節減することができるため、ソーラーセルを用いた構成を採用可能である。これらにより、時刻修正、時差修正、電池交換等のメンテナンスによる負荷を低減することができる。
【００７３】
［他の実施形態］
以上のように実施形態を説明したが、本発明はこれらの開示に限定されるものではない。各部の構成は、同様の機能を有する任意の構成に置換されてよく、また、本発明の技術的範囲内において、任意の構成が省略されたり追加されたりしてもよい。このように、これらの開示から当業者には様々な代替の実施形態が明らかになる。
【００７４】
例えば、図８のステップＳ１０３における信号を受信したか否かの判定は、受信した信号の電界強度が予め決定された閾値を超えるか否かにより判定されてもよい。この場合、ステップＳ１０７及びステップＳ１０２の処理を所定パターンに沿って繰り返した後、記憶装置２４に記憶された履歴情報において、最も大きな電界強度を有する信号に対して、受信したと判定するようにしてもよい。
【００７５】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００７６】
上述の実施形態に係る電子機器によれば、異なる周波数の信号を受信し得る電子機器において、電子機器が信号を受信するタイミングを、第１送信機又は第２送信機が信号を送信するタイミングを含むように設定することにより、周波数探索における消費電力を低減することができる。これにより、腕時計等の制約された構成を有する小型の電子機器であっても、消費電力が過大となる可能性を低減することができる。
【００７７】
また、電子機器によれば、周波数テーブルが、互いに隣接する地域において使用される周波数を記録するため、電子機器は、移動した可能性が高い地域の周波数から受信処理を実行することができる。これにより、周波数探索における時間を短縮することができる。
【００７８】
また、電子機器は、起動時の初期動作として、第３期間を延長することにより、第１期間及び第２期間を定義する標準時間に対して内部時刻がずれている可能性が高い初期状態であっても、通信インターフェイスが第１信号を受信する可能性を高くすることができる。
【００７９】
また、電子機器によれば、充電用電源から二次電池への電力の供給が行われない時間が閾値を超える場合等、二次電池の残量が少ないことが見込まれる場合において、通信インターフェイスが受信処理を実行する周期を延長することにより、信号の受信処理を実行する時間を短縮し、消費電力を節減することができる。
【００８０】
また、電子機器は、ＬＰＷＡと呼ばれる通信規格群に含まれる規格に準拠する通信インターフェイスを備える場合、他の通信規格に比べて低い消費電力で通信距離を長くできる傾向がある。
【００８１】
また、電子機器は、サブギガヘルツ帯の範囲内の搬送周波数により通信する場合、他の周波数帯域の通信規格と比べて、良好な回折特性を有しつつ長い伝送距離を有する傾向がある。
【００８２】
また、電子機器は、現在地で使用される周波数を探索した後に、規格に沿って決定された第３搬送周波数及び第４搬送周波数を有する要求信号を送信する場合において、現在地で使用することが規格化されていない周波数の電波を送信することを抑制できる。
【００８３】
また、電子機器は、低い消費電力で周波数を探索した後に、地域において適正な周波数の要求信号を送信することにより、時刻情報を取得し、内部時刻を修正することができる。したがって、要求信号を送信することによって時刻を修正するための消費電力を節減することができる。
【符号の説明】
【００８４】
１…電子機器、１０ａ…第１基地局、１０ｂ…第２基地局、１１ａ…第１送信機、１１ｂ…第２送信機、１２ａ…第１時刻管理部、１２ｂ…第２時刻管理部、１３ａ…第１制御装置、１３ｂ…第２制御装置、１５ａ…第１ネットワークＩ／Ｆ、１５ｂ…第２ネットワークＩ／Ｆ、２１…通信Ｉ／Ｆ、２２…計時回路、２３…制御回路、２４…記憶装置、２５…時刻表示部、２６…充電検出回路、２７…充電用電源、２８…二次電池、２９…電池電圧検出回路、３１…指針、３２…文字板、３３…バンド、５０…ネットワーク、５１…時刻サーバー、５２…位置情報サーバー、５３…ネットワークサーバー、１００…周波数探索システム、２４１…周波数テーブル、２４２…タイムゾーンテーブル、Ｐ１…第１信号、Ｐ２…第２信号、Ｐｓ…サンプル信号、Ｑ１…第１要求信号、Ｑ２…第２要求信号、ｆ１…第１信号Ｐ１の搬送周波数、ｆ２…第２信号Ｐ２の搬送周波数、ｆ３…第１要求信号Ｑ１の搬送周波数、ｆ４…第２要求信号Ｑ２の搬送周波数、Ｒ１…第１地域、Ｒ２…第２地域、ｔ１，ｔ２…時刻、Ｔ１，Ｔ２，Ｔｕ…周期、Ｔａ１…第１期間、Ｔａ２…第２期間、Ｔａ３…第３期間、Ｔａ４…第４期間、Ｔｂ１…第１間隔、Ｔｂ２…第２間隔、Ｔｂ３…第３間隔、Ｔｄ…データ時間、Ｔｐ…プリアンブル時間。
【図１】
2020088624.tif 000003
【図２】
2020088624.tif 000004
【図３】
2020088624.tif 000005
【図４】
2020088624.tif 000006
【図５】
2020088624.tif 000007
【図６】
2020088624.tif 000008
【図７】
2020088624.tif 000009
【図８】
2020088624.tif 000010
【図９】
2020088624.tif 000011
【図１０】
2020088624.tif 000012